(57)【要約】【課題】  上下風向板の枢支部と、吹出口の上壁および下壁間に跨がって設けられる支柱部とを一体とした枢支部材を備えてなる構成にしたことにより、枢支部の位置にずれが生じないようにして上下風向板を撓みなく枢支し、円滑に回動できるようにした空気調和機を提供する。【解決手段】  吸込口と吹出口２とを結ぶ空気通路に送風ファン４を備え、前記吹出口２に上下風向板を回動自在に軸支してなる空気調和機において、前記上下風向板の枢支部９と、前記吹出口２の上壁２ａおよび下壁２ｂ間に跨がって設けられる支柱部１０とを一体とした枢支部材１１を備えた。【選択図】  図２
2007205599.tif 000002
【特許請求の範囲】
【請求項１】
吸込口と吹出口とを結ぶ空気通路に送風ファンを備え、前記吹出口に上下風向板を回動自在に軸支してなる空気調和機において、
前記上下風向板の枢支部と、前記吹出口の上壁および下壁間に跨がって設けられる支柱部とを一体とした枢支部材を備えてなることを特徴とする空気調和機。
【請求項２】
前記枢支部材は、前記支柱部に対向する位置に他の風向板を軸支する支軸部を備えてなることを特徴とする請求項１に記載の空気調和機。
【請求項３】
前記空気通路を構成するケーシングと、同ケーシングに組み付けられる前面パネルとの締結部に前記枢支部材が固定されてなることを特徴とする請求項１に記載の空気調和機。
【請求項４】
前記枢支部材を固定する固定部が前記吹出口に突出しないように構成されてなることを特徴とする請求項３に記載の空気調和機。
【請求項５】
前記吹出口にはファンガードが設けられており、前記枢支部材の支柱部が前記ファンガードの支持部を兼ねることを特徴とする請求項１に記載の空気調和機。
【発明の詳細な説明】
【技術分野】
【０００１】
本発明は、空気調和機に係わり、より詳細には、吹出口に設けられる上下風向板とディフューザとが、吹出口の上壁と下壁間とに跨がって設けられる枢支部材により回動可能に枢支されるようにした構造に関する。
【背景技術】
【０００２】
従来の空気調和機は、吹出口に回動自在に設けられる上下二枚の上下風向板と、吹出口の下部に回動可能に設けられるディフューザとを、簡便に組付できるようにしたものとして、吹出口に上下二枚の上下風向板を設け、同上下風向板の接続孔に接続する上下の回動軸と、同両回動軸を連係するロッドと、少なくとも一方の前記回動軸を駆動する駆動装置とを設け、同駆動装置により前記上下の回動軸およびロッドを介して前記両風向板を回動してなる空気調和機において、前記吹出口の下部に回動可能なディフューザを設け、同ディフューザの接続孔に接続する補助回動軸を設け、同補助回動軸および前記下部回動軸を補助ロッドにより連係し、前記下部回動軸および前記補助回動軸の長さを、前記上部回動軸の長さに対し、順次短くなるようにしたものが開示されていた（例えば、特許文献１参照。）。
【０００３】
前記上下風向板および前記ディフューザは、例えばこれらの長手方向の寸法が大きく形成されているような場合、長手方向における撓みを生じさせないようにするため、実際には、前記上下風向板の両側部以外の中間部にも枢支部を設けると共に、前記ディフューザの両側部以外の中間部にも支軸部を設けることで、これらが撓みなく枢支されて回動できるように構成されている。
【０００４】
しかしながら、前記上下風向板の中間部を枢支する前記枢支部は、前記吹出口の上壁に一体成形された構成になっている場合、前記吹出口の上壁が成形時の歪みにより変形するのに伴って前記枢支部の位置にずれが生じてしまうことがあり、前記上下風向板の中間部が撓みなく枢支されなくなって円滑に回動できないという問題点を有していた。
【０００５】
同様に、前記ディフューザの中間部を軸支する前記支軸部は、前記吹出口の下壁に一体成形された構成になっている場合、前記吹出口の下壁が成形時の歪みにより変形するのに伴って前記支軸部の位置にずれが生じてしまうことがあり、前記ディフューザの中間部が撓みなく軸支されなくなって円滑に回動できないという問題点を有していた。
【０００６】
なお、前記枢支部が別部材による枢支部材からなり、前記支軸部が別部材による支軸部材からなる構成であって、これら枢支部材または支軸部材が前記吹出口の上壁と下壁との間を接続した支柱に取り付けられた構成になっている場合は、前記吹出口の上壁や下壁に取り付けられた場合と違って取付状態が不安定になる。
【０００７】
また、前記吹出口には冷風もしくは温風が流通することから、前記吹出口の上壁および下壁が熱膨張によって変形することになり、その際、例えば前記枢支部をなす枢支部材がケーシングからなる前記吹出口の上壁に前面パネルと一緒に締結されたり、前記支持部をなす支持部材がケーシングからなる前記吹出口の下壁に前面パネルと一緒に締結されたような場合、これらケーシングや前面パネルと枢支部材や支持部材との熱膨張の差異によって、上述した締結箇所にきしみ音が発生してしまったり、更には、前記枢支部材や前記支持部材を固定する固定部が前記吹出口に突出することによって、該突出部が前記吹出口を流通する吹出空気流に対する空気抵抗になってしまうおそれがあった。
【０００８】
【特許文献１】特開平９−３１０８８１号公報
【発明の開示】
【発明が解決しようとする課題】
【０００９】
そこで、本発明は上述した課題を解決するためになされたものであって、その目的は上下風向板の枢支部と、吹出口の上壁および下壁間に跨がって設けられる支柱部とを一体とした枢支部材を備えてなる構成にしたことにより、枢支部の位置にずれが生じないようにして上下風向板を撓みなく枢支し、円滑に回動できるようにした空気調和機を提供することにある。
【課題を解決するための手段】
【００１０】
上述した目的を達成するため、本発明は以下に示す特徴を備えている。
吸込口と吹出口とを結ぶ空気通路に送風ファンを備え、前記吹出口に上下風向板を回動自在に軸支してなる空気調和機において、
前記上下風向板の枢支部と、前記吹出口の上壁および下壁間に跨がって設けられる支柱部とを一体とした枢支部材を備えてなることを特徴としている。
【００１１】
また、前記枢支部材は、前記支柱部に対向する位置に他の風向板を軸支する支軸部を備えてなることを特徴としている。
【００１２】
また、前記空気通路を構成するケーシングと、同ケーシングに組み付けられる前面パネルとの締結部に前記枢支部材が固定されてなることを特徴としている。
【００１３】
また、前記枢支部材を固定する固定部が前記吹出口に突出しないように構成されてなることを特徴としている。
【００１４】
また、前記吹出口にはファンガードが設けられており、前記枢支部材の支柱部が前記ファンガードの支持部を兼ねることを特徴としている。
【発明の効果】
【００１５】
本発明によれば、上下風向板の枢支部と、吹出口の上壁および下壁間に跨がって設けられる支柱部とを一体とした枢支部材を備えたことにより、枢支部の位置にずれが生じないようにして上下風向板を撓みなく枢支し、且つ円滑に回動できるようにした空気調和機となる。
【００１６】
また、前記枢支部材は、前記支柱部に対向する位置に他の風向板（ディフューザ）を軸支する支軸部を備えたことにより、前記上下風向板の枢支部と、前記他の風向板（ディフューザ）の支軸部とを前記枢支部材として一体成形した構成となり、別部材からなる構成に較べて、これら枢支部と支軸部との位置（ピッチ）に狂いが生じなくなる。
【００１７】
また、前記空気通路を構成するケーシングと、同ケーシングに組み付けられる前面パネルとの締結部に前記枢支部材が固定されるようにしたことにより、前記ケーシングに対して、前記枢支部材を前記前面パネルと一緒に共締めできるようになり、例えば前記枢支部材を潤滑性を有する合成樹脂製の素材で形成することで、上述した締結部において、前記ケーシングおよび前記前面パネルと、前記枢支部材との間できしみ音を生じさせることがなくなる。
【００１８】
また、前記枢支部材を固定する固定部が前記吹出口に突出しないように構成されたことによって、同吹出口における空気（送風）抵抗を抑えることができるようになり、また、前記枢支部材の支柱部が前記吹出口に設けられたファンガードの支持部を兼ねることで、同ファンガードを容易に、且つ正確に支持できるようになる。
【発明を実施するための最良の形態】
【００１９】
以下、本発明の実施の形態を、添付図面に基づいた実施例として詳細に説明する。
図１は本発明による空気調和機の外観斜視図であり、図２は本発明による空気調和機の断面図であり、図３は本発明による空気調和機の要部斜視図であり、図４および図５はドレンパンを上方から見た斜視図であり、図６は上下風向板を回動自在に枢支し、ディフューザ（他の風向板）を回動自在に軸支する枢支部材の説明図で、（Ａ）は正面側から見た斜視図、（Ｂ）は背面側から見た斜視図であり、図７は吹出口の上下風向板およびディフューザ（他の風向板）を取り外した状態を示す斜視図であり、図８は吹出口に枢支部材を取り付けた状態を示す斜視図であり、図９は吹出口に上下風向板およびディフューザを取り付けた状態を示す斜視図であり、図１０はケーシングに前面パネルを組み付けた状態を示す斜視図であり、図１１および図１２はケーシングから前面パネルを取り外した状態を示す斜視図である。
【００２０】
本発明による空気調和機は、図に示すように、吸込口１と吹出口２とを結ぶ空気通路に熱交換器３と送風ファン４とが設けられている。
前記吹出口２には、図９乃至図１２に示すように、単数または複数の上下風向板８が回動可能に設けられることにより、上下方向の風向を偏向して空気調和を行えるようになっている。前記上下風向板８は、前記吹出口２の側壁に相対向するように設けられた枢支部９および９’により回動自在に枢支されている。
【００２１】
前記吹出口２の先端下部には、他の風向板として支軸部１３および１３’により回動自在に軸支されたディフューザ１２が設けられており、同ディフューザ１２と前記上下風向板８とで上下方向の風向を効果的に偏向できるようにして、被空調室の快適な空気調和が行なえるようになっている。
【００２２】
前記吹出口２には、図１および図２に示すように、前記上下風向板８の枢支部９と、前記吹出口２の上壁２ａおよび下壁２ｂ間に跨がって設けられた支柱部１０とを一体とした単数または複数の枢支部材１１が取り付けられ、この枢支部材１１の枢支部９で前記上下風向板８の回動軸が枢支されることによって、同上下風向板８に撓みが生じないように枢支して回動させることができるようになっている。
【００２３】
前記枢支部材１１は、例えばＰＰ（ポリプロピレン）のような潤滑性を有する合成樹脂製によって成形されることで、前記枢支部９をグリースアップすることなく、前記上下風向板８の回動軸を円滑に回動させることができるように枢支できる。
【００２４】
また、図２、図３、図７および図８に示すように、前記枢支部材１１は、前記吹出口２の上壁２ａおよび下壁２ｂ間に前記支柱部１０を跨がらせるようにして、同支柱部１０の一端に備えた係止爪１１ａを前記吹出口２の上壁２ａに設けられた係止部２ｄに係止し、他端に備えた固定片１１ｂを前記吹出口２の下壁２ｂに設けられた固定部Ｄにネジ締めにより固定するようにしている。
【００２５】
これにより、前記吹出口２の変形に伴って前記枢支部９に位置ずれが生じないようにして、前記枢支部材１１を前記吹出口２に強固に固定できるようになり、前記上下風向板８を撓みなく正確に枢支できるようになる。
【００２６】
前記枢支部材１１の支柱部１０には、図６（Ａ）および図６（Ｂ）に示すように、前記吹出口２の上壁２ａおよび下壁２ｂ間を接続するように設けられた支柱２ｃにその前方から嵌入する溝部１１ｃが形成されており、図１に示すように、同溝部１１ｃを前記支柱２ｃに嵌入して前記係止爪１１ａを前記係止部２ｄに係止し、前記固定片１１ｂが前記固定部Ｄにネジ締めされることによって強固に固定されることになる。
【００２７】
なお、前記係止爪１１ａを前記係止部２ｄに係止し、前記固定片１１ｂを前記固定部Ｄにネジ締めにより固定した際、これらの係止爪１１ａや固定片１１ｂは、吹出空気が流通する前記吹出口２に突出しないようにすることで、吹出空気流に対する空気抵抗を増加させることがないように構成されている。
【００２８】
また、前記吸込口１と前記吹出口２とを結ぶ空気通路の一部を構成して、前記熱交換器３、前記送風ファン４、前記上下風向板８および前記ディフューザ１２などが組み付けられたケーシングＡに前面パネルＢが組み付けられて締結される際、同締結部Ｃが前記吹出口２の下壁２ｂに設けられた前記固定部Ｄを兼ねることにより、前記ケーシングＡに、潤滑性を有する合成樹脂製でなる前記枢支部材１１の固定片１１ｂを介して、前面パネルＢがネジ締めによりいっしょに固定される構成になっている。
【００２９】
前記ケーシングＡに備えられた前記吹出口２は、冷風または温風が流通することに伴って熱膨張による影響で変形することが想定されるが、この変形時に、前記ケーシングＡにいっしょにネジ締め固定された前記枢支部材１１が潤滑性を有する素材からなる構成にしたことで、前記ケーシングＡおよび前記前面パネルＢとの間に滑りを生じさせるようになって、該箇所にきしみ音が発生しなくなる。
【００３０】
また、図６（Ａ）および図６（Ｂ）と、図8 とに示すように、前記枢支部材１１は、前記支柱部１０に対向する位置に前記ディフューザ１２を回動自在に軸支する支軸部１３を備えた構成になっており、同支軸部１３と前記枢支部９とを一体成形したことで、これらの位置精度やピッチの精度を高めることができることになる。
【００３１】
前記吹出口２には、図示はしないが、前記送風ファン４に誤って手指が届かないようにガードするため左右に延びるワイヤ状のファンガードが設けられることがあり、その場合に対応して、前記枢支部材１１を構成する支柱部１０に前記ファンガードを支持するための支持部１４が形成されてもよい。
【００３２】
前記支持部１４は、図６（Ａ）および図６（Ｂ）に示すように、後部を開放して側面視線で略Ｖ字状に形成され、同開放部から前記ファンガードを収容しながら、前記枢支部材１１の溝部１１ｃを前記吹出口２の支柱２ｃに嵌入することにより、同支柱２ｃの前端縁と、前記支持部１４の基端部との間に形成される支持空間によって前記ファンガードを支持するようになっている。
【００３３】
これにより、前記ファンガードが、前記吹出口２に設けられた左右風向板や前記支柱２ｃに穿設した支持孔に先端から挿通して支持されるように構成した場合に較べて、前記ファンガードを前記支持部１４に容易に収容して支持できるようになる。
【００３４】
次に、図2 と、図4 および図5 とに基づいて、前記熱交換器３の下端を支持する支持部５を備え、前記熱交換器３から滴下する結露水を受けるドレンパン６の構成について説明する。
【００３５】
前記熱交換器３および前記送風ファン４などを備えた空気調和機は、製品の強度を確認するため、出荷時の状態に梱包された姿で正面側、背面側および側面側などを順次下向きにした姿勢で梱包落下試験が実施される。
【００３６】
その際、質量の大きい前記熱交換器３は落下衝撃の影響を受けやすく、とくに、同熱交換器３の下端が前記ドレンパン６上で所定量を超えて撓んで（変形して）しまったような場合、前記支持部５とのシール性を保つことができず、前記吸込口１から吸い込まれた空気の一部が、前記熱交換器３を通過することなく所謂生ガスとなって前記送風ファン４に向かうことになるため、同送風ファン４に露付の現象が発生してしまうという障害が起きることになる。
【００３７】
この場合、前記熱交換器３は、その両側部に設けられた側板を介して前記ケーシングＡに強固に固定されていることから、落下衝撃により中央部が前後方向に撓んでしまうおそれがある。
【００３８】
また、前記ドレンパン６の前壁面は、前記熱交換器３の下端前部に近接するように形成されることで、空気調和機としての前後の厚さ寸法のコンパクト化に寄与できると共に、前記ドレンパン６の前壁面が、前記熱交換器３の下端が所定量を超えて前方に撓まないように防止できる構成になっている。
【００３９】
そのため、前記熱交換器３の下端は、落下衝撃により中央部が前記送風ファン４側に向けて、所定量を超えて上述したシール性を損ねる位置まで撓んでしまうおそれが生じることになる。
【００４０】
そこで、本発明においては、図２に示すように、前記ドレンパン６に、前記熱交換器３が前記送風ファン４側に、所定量を超えて撓まないように防止するための撓み防止手段７を設けた構成にしている。
【００４１】
前記撓み防止手段７は、前記ドレンパン６の後壁面と前記支持部５との間に設けられた板片７であって、同板片７は前記熱交換器３の下端を支持する支持部５と同様の厚さ寸法で一体成形され、且つ同支持部５と略平行に形成されることで、金型成形を容易に行なえるような配慮がされている。
【００４２】
また、図２に示すように、前記熱交換器３の下端前部と、断熱部材５ａを備えた前記支持部５の先端( 支持) 位置との距離ａよりも、前記熱交換器３の下端後部と前記板片７の先端位置との距離ｂが短いことを特徴としている。
【００４３】
これにより、前記支持部５で支持された前記熱交換器３の下端が前記送風ファン４側に撓んだ場合、前記熱交換器３の下端後部が前記板片７に当接することによって所定量を超えて撓みが起きないように防止されることにとって、前記熱交換器３の下端が前記支持部５から離脱してしまわないように防止されることになる。
【００４４】
また、前記板片７の更に後方に前記ドレンパン６の後壁面があるため、前記送風ファン４に対向するスタビライザを兼ねるこの後壁面と、前記熱交換器３の下端後部との間の距離が、前記熱交換器３から滴下する結露水を受けるのに好適な構成になるように所定の寸法を有した構造になる。
【００４５】
以上説明したように、前記熱交換器３の下端と、前記支持部５の先端とのシール性が損なわれないようになって、上述したとおり、前記吸込口１から吸い込まれた空気が前記熱交換器３を通過するようになり、所謂生ガスが前記送風ファン４に向かうということがなくなることから、同送風ファン４に露付が発生するという障害が起きなくなる。
【図面の簡単な説明】
【００４６】
【図１】本発明による空気調和機の外観斜視図である。
【図２】本発明による空気調和機の断面図である。
【図３】本発明による空気調和機の要部斜視図である。
【図４】ドレンパンを上方から見た斜視図である。
【図５】ドレンパンを上方から見た斜視図である。
【図６】上下風向板を回動自在に枢支し、ディフューザ（他の風向板）を回動自在に軸支する枢支部材の説明図で、（Ａ）は正面側から見た斜視図であり、（Ｂ）は背面側から見た斜視図である。
【図７】吹出口の上下風向板およびディフューザ（他の風向板）を取り外した状態を示す斜視図である。
【図８】吹出口に枢支部材を取り付けた状態を示す斜視図である。
【図９】吹出口に上下風向板およびディフューザを取り付けた状態を示す斜視図である。
【図１０】ケーシングに前面パネルを組み付けた状態を示す斜視図である。
【図１１】ケーシングから前面パネルを取り外した状態を示す斜視図である。
【図１２】ケーシングから前面パネルを取り外した状態を示す斜視図である。
【符号の説明】
【００４７】
１  吸込口
２  吹出口
２ａ  上壁
２ｂ  下壁
２ｃ  支柱
２ｄ  係止部
３  熱交換器
４  送風ファン
５  支持部
５ａ  断熱部材
６  ドレンパン
７  板片（撓み防止手段）
８  上下風向板
９  枢支部
９’  枢支部
１０  支柱部
１１  枢支部材
１１ａ  係止部
１１ｂ  固定片
１１ｃ  溝部
１２  ディフューザ（他の風向板）
１３  支軸部
１３’  支軸部
１４  支持部
Ａ  ケーシング
Ｂ  前面パネル
Ｃ  締結部
Ｄ  固定部
【図１】
2007205599.tif 000003
【図２】
2007205599.tif 000004
【図３】
2007205599.tif 000005
【図４】
2007205599.tif 000006
【図５】
2007205599.tif 000007
【図６】
2007205599.tif 000008
【図７】
2007205599.tif 000009
【図８】
2007205599.tif 000010
【図９】
2007205599.tif 000011
【図１０】
2007205599.tif 000012
【図１１】
2007205599.tif 000013
【図１２】
2007205599.tif 000014